(57)【要約】【課題】印刷ジョブ実行以外の紙送りの際にも記録紙の種類に応じた吸引力でプラテンの表面に記録紙を吸引して、紙送り時の騒音を低減すること。【解決手段】プリンタ１は、記録紙１１の紙送り時には、プラテン８の吸引部２６に接続された吸引ファン２７を所定のデューティ比で駆動して、プラテン８の表面８ａから記録紙１１が浮き上がらないようにする。プリンタ１の制御部３０は、記録紙１１の種類を示すパラメータを含む印刷データを受信すると、当該パラメータによって特定される記録紙１１を吸引するのに必要な吸引ファン２７の制御データ（デューティ比）を記憶保持する。そして、その後、吸引ファン２７の制御データが新たなパラメータの受信や、電源投入、記録紙１１の装填動作などによって変更あるいはリセットされるまでは、当該制御データによる紙送り時の記録紙１１の吸引を継続する。【選択図】図６
2010036442.tif 000002
【特許請求の範囲】
【請求項１】
プラテンの表面に記録紙を吸引するための吸引手段を有するプリンタにおける記録紙の吸引力制御方法であって、
前記記録紙の装填動作または電源投入が行われると、予め設定した所定の吸引力を、前記吸引手段の吸引力として設定し、
前記記録紙の種類に対応する所定のパラメータを受信すると、当該パラメータに対応づけて記憶している前記吸引力を、前記吸引手段の吸引力として設定し、
前記記録紙を前記プラテン上で紙送りする時には、直近に設定した吸引力で前記記録紙を吸引することを特徴とするプリンタにおける記録紙の吸引力制御方法。
【請求項２】
請求項１に記載のプリンタにおける記録紙の吸引力制御方法において、
前記記録紙は、長尺の台紙の上にラベルを剥離可能に貼り付けたラベル紙を含む複数種類の記録紙のいずれかであり、且つ、ロール紙の形態およびファンフォールド紙の形態を含む複数の形態のいずれかの状態で装填されており、
前記パラメータは、前記記録紙の前記形態、前記記録紙の紙幅、前記記録紙の紙質、および前記ラベルの寸法の少なくともいずれかを含むことを特徴とするプリンタにおける記録紙の吸引力制御方法。
【請求項３】
請求項１または２に記載のプリンタにおける記録紙の吸引力制御方法において、
前記パラメータは印刷データに含まれており、
前記記録紙を前記プラテン上で紙送りする時には、直近に受信した前記印刷データに含まれる前記パラメータに対応づけて記憶している前記吸引力で前記記録紙を吸引することを特徴とするプリンタにおける記録紙の吸引力制御方法。
【請求項４】
請求項１ないし３のいずれかの項に記載のプリンタにおける記録紙の吸引力制御方法において、
前記予め設定した所定の吸引力は、前記吸引手段による最大吸引力であることを特徴とするプリンタにおける記録紙の吸引力制御方法。
【請求項５】
プラテンの表面に記録紙を吸引するための吸引手段と、
前記パラメータに対応づけされた前記吸引力を記憶している記憶手段と、
前記記録紙を前記プラテン上で紙送りする時の前記吸引手段による吸引力を、請求項１ないし４のいずれかの項に記載のプリンタにおける記録紙の吸引力制御方法により制御する制御部とを有することを特徴とするプリンタ。
【請求項６】
請求項５に記載のプリンタにおいて、
前記吸引手段は、吸引ファンを含むものであり、
前記制御部により前記吸引ファンの回転数を変えることで、前記吸引力を変えるものであることを特徴とするプリンタ。
【発明の詳細な説明】
【技術分野】
【０００１】
本発明は、プラテンの表面に記録紙を吸引するための吸引手段の吸引力を、記録紙の種類（形態や紙質、ラベルサイズなど）に応じて制御可能なプリンタおよびプリンタにおける記録紙の吸引力制御方法に関する。
【背景技術】
【０００２】
従来から、形態や紙質などが異なる多種類の記録紙を装填可能なプリンタにおいて、記録紙の交換時に、新しく装填した記録紙の種類に対応してドライバの印刷設定を変更する操作とは別に、プリンタに記憶させた吸引ファンなどの吸引力の設定値を変更する操作を行い、新しく装填した記録紙に適した吸引力でプラテンの表面に記録紙を吸引することが提案されている。また、印刷ジョブデータに記録紙の種類（記録紙の形態や紙質、ラベル紙におけるラベルサイズなど）のパラメータを含めておき、受信したパラメータに応じてプリンタ側で適切な吸引力を算出し、印刷ジョブ毎に吸引ファンなどの吸引手段による吸引力を調製することが提案されている。
【０００３】
例えば、特許文献１には、プラテンの表面に記録紙を吸引するための吸引ファンによる吸引力を様々な条件に応じて制御するプリンタが開示されている。特許文献１のプリンタでは、ユーザが記録紙の種類の情報をプリンタの操作パネル上で入力してプリンタに記憶させておき、必要なときにこの情報に基づいてプリンタ内のＲＯＭに予め記憶させてある吸引ファンの制御データをその都度読み出して、吸引ファンの吸引力を調整している。
【特許文献１】ＷＯ００／３４０４９号公報
【発明の開示】
【発明が解決しようとする課題】
【０００４】
しかしながら、特許文献１のプリンタでは、吸引力の設定のためにユーザが記録紙の種類の情報を別途入力する操作が必要であり、このような作業はユーザにとって面倒で手間のかかる作業であった。また、印刷ジョブデータに記録紙の種類についてのパラメータを含めておいて印刷ジョブ毎に吸引ファンによる吸引力を調整する方法では、記録紙の交換時に吸引力の設定操作を別途行う必要はないが、この方法では、印刷ジョブ実行以外の処理のために紙送りを行う際の吸引力を、記録紙の種類に応じて調整することができない。そのため、吸引力不足による紙ジャムなどを回避するためには、印刷ジョブ実行以外の紙送りの際の吸引力を全て最大吸引力に設定しておく必要があり、不必要に強い吸引力が適用されて吸引ファンによる騒音が大きくなってしまうという問題点があった。
【０００５】
本発明の課題は、このような点に鑑みて、プラテンの表面に記録紙を吸引するための吸引力の設定の手間を省略することができ、且つ、印刷ジョブ実行以外の紙送りの際にも記録紙の種類に応じて適切な吸引力でプラテンの表面に記録紙を吸引でき、プラテンの表面への記録紙の吸引による騒音を低減することが可能なプリンタを提案することにある。
【課題を解決するための手段】
【０００６】
上記の課題を解決するために、本発明は、プラテンの表面に記録紙を吸引するための吸引手段を有するプリンタにおける記録紙の吸引力制御方法であって、
前記記録紙の装填動作または電源投入が行われると、予め設定した所定の吸引力を、前記吸引手段の吸引力として設定し、
前記記録紙の種類に対応する所定のパラメータを受信すると、当該パラメータに対応づけて記憶している前記吸引力を、前記吸引手段の吸引力として設定し、
前記記録紙を前記プラテン上で紙送りする時には、直近に設定した吸引力で前記記録紙を吸引することを特徴としている。
【０００７】
本発明では、このように、上位装置などから受信したパラメータに基づき、記録紙の種類に応じた適切な吸引力を設定することができ、不必要に強い吸引力で吸引しないように吸引手段を制御することができる。よって、プラテンの表面への記録紙の吸引による騒音を低減することができる。また、予め設定したデフォルトの吸引力によって記録紙が吸引されるのはプリンタの電源投入直後あるいは記録紙の装填直後から吸引力の設定が行われるまでの間だけとなる。また、本発明では、一旦吸引力を設定した後は、次のパラメータを受信するまではその吸引力での吸引を継続できる。よって、記録紙の交換／補充時などに一度だけパラメータを受信して吸引力を設定しておくだけで、次の交換／補充時や吸引力の設定時、あるいは電源オンオフ時までは適切な吸引力での記録紙の吸引を継続することができる。従って、吸引力の設定が簡単である。
【０００８】
本発明において、前記記録紙は、長尺の台紙の上にラベルを剥離可能に貼り付けたラベル紙を含む複数種類の記録紙のいずれかであり、且つ、ロール紙の形態およびファンフォールド紙の形態を含む複数の形態のいずれかの状態で装填されており、前記パラメータは、前記記録紙の前記形態、前記記録紙の紙幅、前記記録紙の紙質、および前記ラベルの寸法の少なくともいずれかを含んでいる。ロール紙かファンフォールド紙かなどの記録紙の形態、記録紙の紙幅、記録紙の紙質、あるいはラベル紙の場合のラベル寸法などの項目は、記録紙の巻き癖や腰の強さなどの特性に関連しているため、これらの項目を吸引力設定のためのパラメータとして用いれば、プラテン上で記録紙が浮き上がらないようにするための吸引力を適切に設定することができる。
【０００９】
また、前記パラメータは印刷データに含まれており、前記記録紙を前記プラテン上で紙送りする時には、直近に受信した前記印刷データに含まれる前記パラメータに対応づけて記憶している前記吸引力で前記記録紙を吸引するとよい。このように、印刷データに記録紙の種類についてのパラメータを含めておけば、ユーザが吸引力の設定のためのパラメータの送信を別途行う必要がない。よって、吸引力の設定を簡単にすることができる。
【００１０】
ここで、前記予め設定した所定の吸引力を、前記吸引手段による最大吸引力にするとよい。このようにすると、プリンタの電源投入直後あるいは記録紙の交換直後から吸引力の設定が行われるまでの間の紙送りの際には、最大吸引力を適用することができるので、吸引力不足によって記録紙がプラテン上から浮き上がるのを防止することができ、紙ジャムを防止することができる。
【００１１】
次に、本発明のプリンタは、プラテンの表面に記録紙を吸引するための吸引手段と、前記パラメータに対応づけされた前記吸引力を記憶している記憶手段と、前記記録紙を前記プラテン上で紙送りする時の前記吸引手段による吸引力を、上記のプリンタにおける記録紙の吸引力制御方法により制御する制御部とを有することを特徴としている。
【００１２】
また、前記吸引手段は、吸引ファンを含むものであり、前記制御部により前記吸引ファンの回転数を変えることで、前記吸引力を変えるものであることを特徴とする。前記制御部によりプラテン表面の吸引孔の面積を変えるようにしてもよい。
【発明の効果】
【００１３】
本発明によれば、上位装置などから受信したパラメータに基づき、記録紙の種類に応じた適切な吸引力を設定することができ、不必要に強い吸引力で吸引しないように吸引手段を制御することができる。よって、プラテンの表面への記録紙の吸引による騒音を低減することができる。また、一旦吸引力を設定した後は、次のパラメータを受信するまではその吸引力での吸引を継続できるので、記録紙の交換／補充時などに一度だけパラメータを受信して吸引力を設定しておくだけで、次の交換／補充時や吸引力の設定時、あるいは電源オンオフ時までは適切な吸引力での記録紙の吸引を継続することができる。よって、吸引力の設定が簡単である。
【発明を実施するための最良の形態】
【００１４】
以下に、図面を参照して、本発明を適用したプリンタの実施の形態を説明する。
【００１５】
（全体構成）
図１は本実施の形態に係るインクジェット式のプリンタの外観斜視図であり、図２はその開閉蓋を全開にした状態の外観斜視図である。プリンタ１は全体としてほぼ直方体形状をしたプリンタ本体２と、プリンタ本体２の前面に取り付けた開閉蓋３とを有している。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３によって封鎖されている。
【００１６】
蓋開閉レバー６を操作すると開閉蓋３のロックが解除される。ロック解除後、開閉蓋３に搭載されている排紙ガイド５を前方に引くと、図２に示すように、開閉蓋３が下端部を中心として前方にほぼ水平となるまで開く。開閉蓋３が開くと、プリンタ本体２の内部に形成されているロール紙収納部７Ａが開放状態となる。同時に、印刷位置を規定しているプラテン８が開閉蓋３と一緒に移動して、ロール紙収納部７Ａから記録紙排出口４に到る記録紙搬送経路が開放状態となり、プリンタ前方からロール紙の交換作業などを簡単に行うことができる。なお、図２においては、開閉蓋３のカバーケースおよび蓋開閉レバー６を省略してある。
【００１７】
開閉蓋３の近傍には開閉検出器３ａが取り付けられている。開閉検出器３ａは、フォトセンサ、磁気センサ、マイクロスイッチなどから構成されている。開閉検出器３ａは、開閉蓋３が開き状態から閉じ状態に切り換わったこと、および、閉じ状態から開き状態に切り換わったことを検出できる。
【００１８】
図３はプリンタ１の内部構成を示す概略縦断面図である。プリンタ１の内部には、プリンタ本体フレーム１０における幅方向の中央部分にロール紙収納部７Ａが形成されている。ロール紙収納部７Ａには、ロール紙１１Ａの中心軸がプリンタ幅方向に向いた横置き状態で収納される。
【００１９】
ロール紙収納部７Ａの上側には、プリンタ本体フレーム１０の上端にヘッドユニットフレーム１２が水平に取り付けられている。ヘッドユニットフレーム１２には、インクジェットヘッド１３、インクジェットヘッド１３を搭載しているキャリッジ１４、およびキャリッジ１４のプリンタ幅方向への移動をガイドするキャリッジガイド軸１５が配置されている。インクジェットヘッド１３はインクノズル面１３ａが下向きになるようにキャリッジ１４に搭載されている。キャリッジガイド軸１５はプリンタ幅方向に水平に架け渡されており、ヘッドユニットフレーム１２には、キャリッジ１４をキャリッジガイド軸１５に沿って往復移動させるためのキャリッジモータ１６およびタイミングベルト１７を備えたキャリッジ搬送機構が配置されている。
【００２０】
インクジェットヘッド１３の下側にはプリンタ前後方向に水平に延びるプラテンフレーム１８が配置されている。プラテンフレーム１８の上端にはプラテン８がプリンタ幅方向に水平に取り付けられている。プラテン８は、インクジェットヘッド１３に一定のギャップで対峙しており、インクジェットヘッド１３の印刷位置を規定している。また、プラテン８はその表面８ａに記録紙１１を吸引することができる吸引プラテンである。
【００２１】
プラテン８の後側には、後側紙送りローラ２１がプリンタ幅方向に水平に架け渡されている。後側紙送りローラ２１には所定幅の後側紙押えローラ２２が記録紙１１を介して所定の押圧力で押し付けられている。プラテン８の前側には、前側紙送りローラ２３が配置されている。前側紙送りローラ２３には、上側から記録紙１１を介して前側紙押えローラ２４が押し付けられている。後側紙送りローラ２１および前側紙送りローラ２３は、プラテンフレーム１８の後方に搭載されている紙送りモータ２５によって回転駆動される。
【００２２】
プラテンフレーム１８の後端には下方に湾曲しているテンションガイド２０が取り付けられている。ロール紙収納部７Ａに収納されているロール紙１１Ａから引き出された記録紙１１は、繰り出しローラ２０ａおよびテンションガイド２０を経由するロール紙搬送路Ａに沿って上方に引き出された後に前方に湾曲するように引き出され、プラテン８の後端からインクジェットヘッド１３による印刷位置を経由して水平に延びる共通紙搬送路Ｂに引き出される。ここで、テンションガイド２０はバネ力によって上方に付勢されており、テンションガイド２０を通過した記録紙１１は、所定の張力が付与された状態で共通紙搬送路Ｂに至り、紙送りモータ２５および後側紙送りローラ２１などを備えている搬送手段によって共通紙搬送路Ｂに沿って搬送される。
【００２３】
後側紙押さえローラ２２の後方のプリンタ本体フレーム１０の部位には、プリンタ本体２の背面側から記録紙１１を受け入れるための記録紙挿入口９が形成されている。また、プリンタ本体フレーム１０の記録紙挿入口９が形成されている部位の外側にはファンフォールド紙１１Ｂを装填するためのファンフォールド紙ホルダ７Ｂが取付けられている。ファンフォールド紙ホルダ７Ｂは、ファンフォールド紙の形態の記録紙１１を記録紙挿入口９まで導くための導入路９ａを備えている。
【００２４】
導入路９ａから手差しで挿入される記録紙１１は、記録紙挿入口９および後側紙押さえローラ２２を経由するファンフォールド紙搬送路Ｃに沿って、共通紙搬送路Ｂまで挿入される。共通紙搬送路Ｂに到達した記録紙１１は、紙送りモータ２５および後側紙送りローラ２１などを備えている搬送手段によって共通紙搬送路Ｂに沿って搬送される。共通紙搬送路Ｂとファンフォールド紙搬送路Ｃとからなるファンフォールド紙の形態の記録紙１１用の紙搬送路は、全体としてほぼ水平である。
【００２５】
ここで、記録紙挿入口９には、装填されたファンフォールド紙１１Ｂから送り出される記録紙１１の有無を検出するための紙挿入検出器１９ａが配置されている。紙挿入検出器１９ａは記録紙挿入口９においてファンフォールド紙搬送路Ｃ内に突出している検出レバーを備えており、記録紙挿入口９に進入した記録紙１１によって検出レバーがファンフォールド紙搬送路Ｃから退避させられることを利用して、記録紙１１の有無を検出する。
【００２６】
共通紙搬送路Ｂの後側紙送りローラ２１よりも上流側には、記録紙１１の有無などを検出するための反射型フォトセンサ１９ｂおよび透過型フォトセンサ１９ｃが配置されている。反射型フォトセンサ１９ｂは、照射した検査光の反射率の変動を利用して、記録紙１１上のブラックマークなどの位置合わせ基準を検出することができる。また、透過型フォトセンサ１９ｃは、照射した検査光の透過率の変動を利用して、記録紙１１の先端や、記録紙１１として台紙上にラベルを剥離可能に貼り付けたラベル紙を用いている場合には、ラベルの先端あるいは後端を検出することができる。
【００２７】
なお、反射型フォトセンサ１９ｂおよび透過型フォトセンサ１９ｃのセンサ寿命を確保するために、プリンタ本体２の内部に記録紙１１がないときにはこれらのセンサを省電力の待機状態にしておき、開閉蓋３が開閉されることによりロール紙１１Ａが投入されたと判断された場合や、紙挿入検出器１９ａの検出状態が変化することによってファンフォールド紙ホルダ７Ｂ側からの記録紙１１の挿入が検出されたと判断された場合に、これらのセンサを待機状態から動作状態に復帰させるとよい。
【００２８】
新たなロール紙１１Ａをプリンタ１に装填する場合には、開閉蓋３を開き、プラテンフレーム１８に搭載されているプラテン８、テンションガイド２０、後側紙送りローラ２１、前側紙押さえローラ２４、排紙ガイド５などの部品を開閉蓋３と一緒に前方側に移動させて、共通紙搬送路Ｂおよびロール紙搬送路Ａを開放状態にする。そして、開放状態になった空間を介して、記録紙１１が引き出された状態のロール紙１１Ａをロール紙収納部７Ａに投入する。しかる後に開閉蓋３を閉じると、プラテン８、テンションガイド２０、後側紙送りローラ２１、前側紙押さえローラ２４、排紙ガイド５などが元の位置に復帰して共通紙搬送路Ｂおよびロール紙搬送路Ａが形成されると共に、プラテン８がインクジェットヘッド１３に一定のギャップで対峙して印刷位置を規定する状態になる。そして、記録紙１１が、共通紙搬送路Ｂ上でプラテン８上の印刷位置を通過した状態にセットされる。
【００２９】
一方、新たなファンフォールド紙１１Ｂをプリンタ１に装填する場合には、導入路９ａを介して、記録紙挿入口９から、ファンフォールド紙１１Ｂから引き出した記録紙１１を手差し挿入する。このとき、記録紙挿入口９からの記録紙１１のオートローディング動作が行われる。すなわち、紙挿入検出器１９ａの検出状態が紙なしから紙ありに変化すると、プリンタ１は、記録紙挿入口９に記録紙１１の先端が挿入されたと判断して、紙なしから紙ありへの変化を検出してから所定時間経過後に、紙送りモータ２５を駆動して後側紙送りローラ２１を回転させることにより記録紙１１の搬送動作を開始する。これにより、記録紙１１は、共通紙搬送路Ｂ上でプラテン８上の印刷位置を通過した状態にセットされる。
【００３０】
ロール紙１１Ａあるいはファンフォールド紙１１Ｂから引き出される記録紙１１は、紙送りモータ２５の駆動力により、プラテン８の表面８ａに吸引された状態で搬送され、インクジェットヘッド１３による印刷位置を通過する。印刷位置では、キャリッジ１４をキャリッジガイド軸１５に沿って往復移動させながら、そこに搭載されているインクジェットヘッド１３により印刷が行われる。記録紙１１の幅方向への一連の行印刷が終了した後は、後側紙送りローラ２１および前側紙送りローラ２３が回転駆動されて、所定ピッチだけ記録紙１１が送り出される。この後に、次の行印刷が行われる。このように、記録紙１１は、所定ピッチで間欠的に送り出されながらインクジェットヘッド１３によって印刷が施される。印刷後の記録紙１１が排出される記録紙排出口４には、例えば鋏式の記録紙切断装置（図示せず）が配置されており、この記録紙切断装置によって記録紙１１が幅方向に切断される。
【００３１】
（記録紙の吸引機構）
図４は記録紙１１をプラテン８に吸引するための吸引機構を取り出して示す概略部分斜視図である。記録紙１１をプラテン８に吸引するための吸引機構は、プラテン８に形成されている吸引部２６と、プリンタ本体フレーム１０の背板部分１０ａに取り付けられている吸引ファン２７（吸引手段）と、吸引ファン２７の吸引口をプラテン８の吸引部２６に接続している吸引ダクト２８と、吸引ファン２７の排気口とプリンタ本体フレーム１０の後方に形成されている排気口２９とを接続している排気通路２９ａを有している。
【００３２】
開閉蓋３が開かれると吸引部２６と吸引ダクト２８が離れて分離した状態になる。一方、開閉蓋３を閉じた状態では、吸引部２６と吸引ダクト２８が接続された状態になる。この状態で吸引ファン２７が駆動されてプラテン８上を搬送される記録紙１１の吸引動作が開始されると、吸引ダクト２８内には、プラテン８の吸引部２６から吸引ファン２７に向かう空気流が形成される。これにより、吸引部２６側に記録紙１１が引き寄せられ、プラテン８の表面８ａから記録紙１１が浮き上がらない状態に保持される。
【００３３】
プラテン８はプリンタ幅方向に長い扁平な直方体形状をしており、往復移動するインクジェットヘッド１３のプリンタ幅方向の印刷領域を規定している。吸引部２６は、プラテン８の表面８ａにおいて記録紙搬送方向に延びる複数の縦リブ３５によって仕切られている複数の溝３６と、各溝３６の底面３６ａに形成されている吸引孔３７と、プラテン８の内部に形成されている吸引室３８とを備えており、各吸引孔３７は吸引室３８に連通している。プラテン８の側方には、インクジェットヘッド１３から吐出されるインク液滴に起因して発生するインクミストを回収するインクミスト回収部３９が一体形成されている。インクミスト回収部３９の後端側の部位、すなわち、印刷領域から側方に外れた位置には、吸引室３８に連通しているプラテン側開口端３８ａが形成されている。
【００３４】
（制御系）
図５は、プリンタ１の制御系を示す概略ブロック図である。プリンタ１の制御系は、ＣＰＵ、ＲＯＭ、ＲＡＭなどを備えた制御部３０を中心に構成されている。また、制御部３０には、フラッシュＲＯＭなどの不揮発性メモリ３１が接続されている。制御部３０には、図示しない送受信部を介して、ホスト装置３２などの上位機器から印刷データやコマンドなどが供給される。制御部３０は、ホスト装置３２などからの印刷指令に基づき、記録紙１１を送り出す紙送り機構やキャリッジ搬送機構、記録紙の吸引機構などの各部の駆動を制御して、紙送り動作および印刷動作を実行する。
【００３５】
制御部３０の出力側には、ヘッドドライバ１３ｂを介してインクジェットヘッド１３が接続されており、制御部３０は、ヘッドドライバ１３ｂを介してインクジェットヘッド１３を駆動制御する。また、制御部３０の出力側には、モータドライバ１６ａおよびモータドライバ２５ａを介してキャリッジモータ１６および紙送りモータ２５が接続されており、制御部３０は、モータドライバ２５ａ，１６ａを介して紙送りモータ２５およびキャリッジモータ１６を駆動制御する。制御部３０は、紙送りモータ２５を送り出し方向に駆動制御するステップ数あるいは回転量を積算することにより、記録紙１１の所定の搬送量を算出する。
【００３６】
制御部３０の入力側には、開閉検出器３ａ、紙挿入検出器１９ａ、反射型フォトセンサ１９ｂ、透過型フォトセンサ１９ｃなどの各検出器が接続されている。制御部３０は、これらの各検出器の検出出力に基づいて、プリンタ１における各種動作を検出する。すなわち、上述したように、制御部３０は、開閉検出器３ａの検出出力に基づいて、開閉蓋３を開閉するカバークローズ動作が行われたことを検出する。また、制御部３０は、紙挿入検出器１９ａの検出出力に基づいて、記録紙挿入口９に記録紙１１の先端が挿入されたことを検出する。そして、制御部３０は、反射型フォトセンサ１９ｂあるいは透過型フォトセンサ１９ｃの検出出力に基づいて、記録紙１１の先端や、記録紙１１上のラベル端部やマークなどのラベルを剥離可能に貼り付けたラベル紙を用いている場合には、ラベルの先端あるいは後端を検出する。
【００３７】
（紙送り時の記録紙の吸引制御）
次に、本実施形態のプリンタ１における紙送り時の記録紙１１の吸引制御について説明する。プリンタ１の不揮発性メモリ３１には、紙送り時に各種の記録紙１１をプラテン８の表面８ａから浮き上がらない状態に保持しながら搬送するための吸引機構の制御データを、記録紙１１の種類に対応づけて予め記憶させてある。吸引機構によるプラテン８の表面８ａへの記録紙１１の吸引力は、吸引ファン２７の吸引力すなわち吸引ファン２７の回転数に対応しているので、制御データとしては、例えば、吸引ファン２７を目標回転数で駆動するための駆動パルス信号のデューティ比などを用いる。そのため、各種の記録紙１１をプラテン８の表面８ａから浮き上がらないように保持するための最低限の吸引力を得るための駆動パルス信号のデューティ比を予め実験などによって求めておき、この値を記録紙１１の種類に対応づけた制御データテーブルを、不揮発性メモリ３１に記憶させておく。
【００３８】
本実施形態では、記録紙１１の種類を、以下に示す（ａ）〜（ｄ）の４つのパラメータの組み合わせによって特定する。これらのパラメータは、記録紙１１の巻き癖や腰の強さなどの特性に関連しているものである。なお、４つのパラメータの一部のみを用いても良いし、他のパラメータを加えても良い。
（ａ）記録紙１１の形態
（ｂ）記録紙１１の紙幅
（ｃ）記録紙１１の紙質
（ｄ）ラベル長
【００３９】
（ａ）の記録紙１１の形態パラメータは、装填された記録紙１１がロール紙１１Ａの形態であるか、それともファンフォールド紙１１Ｂの形態であるかを示す。なお、この２種類以外の形態を含めてもよい。また、（ｃ）の記録紙１１の紙質としては、普通紙、ファイン紙、合成紙、フィルム紙、あるいは普通紙のラベル紙、ファイン紙のラベル紙、合成紙のラベル紙、特殊紙、などがある。また、（ｄ）のラベル長は、ラベル紙における各ラベルの搬送方向の長さである。
【００４０】
制御部３０は、この４つのパラメータがホスト装置３２などから入力されると、入力されたパラメータの組み合わせによって記録紙１１の種類を特定して、不揮発性メモリ３１に記憶している制御データテーブルから、当該記録紙１１の種類に予め対応づけられた吸引機構の制御データ、すなわち、デューティ比を取り出す。そして、取り出したデューティ比を、現時点における吸引機構の制御データとして不揮発性メモリ３１あるいは他の記憶部に記憶保持する。これにより、当該記録紙１１の搬送動作において必要な吸引ファン２７による吸引力が、プリンタ１に設定される。パラメータは、ホスト装置３２からの印刷データに含めてプリンタ１に送信される。
【００４１】
制御部３０は、入力されたパラメータに基づいて吸引ファン２７による吸引力を設定した後は、次に吸引力の設定を更新あるいはリセットして新たな設定値を記憶するまでの間は、記録紙１１の紙送りに伴うプラテン８の表面８ａへの記録紙１１の吸引を、直近に設定した吸引力で行う。吸引力の設定の更新は、新たなパラメータが入力されたことにより行われる。また、吸引力の設定のリセットは、用紙交換や用紙切れなどのために記録紙１１の装填が行われた時、あるいは、プリンタ１の電源が投入された時に行われる。制御部３０は、電源投入により起動したとき、あるいは、記録紙１１の装填が行われた時は、最大吸引力すなわちデューティ比１００％を吸引力のデフォルトの設定値として読み込み、記憶する。そして、次にパラメータが入力される前に記録紙１１の紙送りを行うときには、デューティ比１００％の吸引力で記録紙１１を吸引する。
【００４２】
ここで、制御部３０は、開閉検出器３ａ、紙挿入検出器１９ａ、透過型フォトセンサ１９ｃなどの各検出器の検出出力に基づいて記録紙１１の装填が行われたか否かを判断する。すなわち、制御部３０は、紙挿入検出器１９ａが紙なしから紙ありに変化したことを検出した場合に、ファンフォールド紙１１Ｂの装填動作が行われたと判断する。また、開閉検出器３ａの検出出力に基づいて開閉蓋３を閉めるカバークローズ動作を検出し、且つ、透過型フォトセンサ１９ｃの検出出力に基づいて共通紙搬送路Ｂ上に記録紙１１があることを検出した場合に、ロール紙１１Ａの装填動作が行われたと判断する。
【００４３】
図６（ａ）は、吸引力の設定値の変化の一例を示すタイムチャートであり、図６（ｂ）は、各時点での紙送り時に適用される吸引力を示すタイムチャートである。この図に示すように、プリンタ１への電源投入直後は吸引力の設定は最大吸引力（デューティ比１００％）であり、この状態で印刷ジョブ実行以外のマニュアルフィードなどの紙送りが行われるときは、吸引ファン２７をデューティ比１００％で駆動する。
【００４４】
続いて、記録紙１１の種類についてのパラメータを含む印刷ジョブデータＰ１を受信すると、当該パラメータに基づいて吸引力の設定値を更新し、新たな設定値であるデューティ比７０％を記憶する。そして、印刷ジョブデータＰ１による印刷ジョブ実行時の紙送りを、デューティ比７０％の吸引力で行う。そして、次の印刷ジョブデータＰ２を受信するまでの間の印刷ジョブ実行以外の紙送りでは、記録紙１１が直近の吸引力の設定時と同じものであると想定して、直近に設定されたデューティ比７０％の設定で吸引ファン２７を駆動する。同様に、その後印刷ジョブデータＰ２を受信すると、当該印刷ジョブデータＰ２が含むパラメータに基づいて吸引力の設定値をデューティ比５０％に更新し、印刷ジョブ実行時の紙送り、および、次に行われる用紙交換までの間に行う印刷ジョブ実行以外の紙送りを、デューティ比５０％の設定で行う。
【００４５】
そして、用紙交換のためにロール紙１１Ａあるいはファンフォールド紙１１Ｂが装填されたことを検出すると吸引力の設定値はデフォルト値である１００％にリセットされ、この状態で印刷ジョブデータ受信前に紙送りが行われるときは、吸引ファン２７をデューティ比１００％で駆動する。
【００４６】
（本実施形態の効果）
以上のように、プリンタ１では、ホスト装置３２から印刷データに含めて受信した記録紙１１の種類を示すパラメータに基づき、記録紙１１の種類に応じた適切な吸引力を予め準備した制御データテーブルに基づいて設定することができるので、不必要に大きな回転数にならないように吸引ファン２７を制御することができる。よって、紙送り時における吸引ファン２７による騒音を低減することができる。また、一旦吸引力を設定した後は、次のパラメータを受信するまで、あるいは、電源オンオフや用紙交換のための記録紙１１の装填動作が行われるまでの紙送り時には、記録紙１１の種類が変わっていないと想定して直近に設定した吸引力での吸引を継続できる。このように、直近の吸引力の設定時と同じ種類の記録紙１１であることが想定されるときには直近の吸引力の設定値を用いるようにすれば、紙送りの際にその都度吸引力の設定を行わなくても、適切な吸引力を適用することができ、吸引ファン２７による騒音を低減することができる。また、印刷データにパラメータを含めたり、電源の投入や記録紙１１の装填が行われたことにより吸引力をデフォルト値に戻すようにすれば、ユーザは吸引力設定のための操作を行う必要がなくなる。よって、吸引力の設定の手間を省くことができる。
【００４７】
なお、上記実施形態では、吸引ファン２７の駆動パルス信号のデューティ比を調整してプラテン上への記録紙の吸引力を調整していたが、プラテン表面の吸引孔３７の面積を変更可能に構成しておき、制御部３０の制御信号によって吸引孔３７の面積を調整することにより、プラテン上への記録紙の吸引力を調整することも可能である。
【図面の簡単な説明】
【００４８】
【図１】本発明を適用したプリンタの外観斜視図である。
【図２】プリンタの開閉蓋を開けた状態を示す外観斜視図である。
【図３】プリンタの内部構造を示す概略縦断面図である。
【図４】記録紙の吸引機構を示す部分斜視図である。
【図５】プリンタの制御系を示す概略ブロック図である。
【図６】吸引力の設定値の変化および各時点での紙送り時に適用される吸引力を示すタイムチャートである。
【符号の説明】
【００４９】
１…プリンタ、２…プリンタ本体、２ａ…外装ケース、２ｂ…開口部、３…開閉蓋、３ａ…開閉検出器、４…記録紙排出口、５…排紙ガイド、６…蓋開閉レバー、７Ａ…ロール紙収納部、７Ｂ…ファンフォールド紙ホルダ、８…プラテン、８ａ…表面、９…記録紙挿入口、９ａ…導入路、１０…プリンタ本体フレーム、１０ａ…背板部分、１１…記録紙、１１Ａ…ロール紙、１１Ｂ…ファンフォールド紙、１２…ヘッドユニットフレーム、１３…インクジェットヘッド、１３ａ…インクノズル面、１３ｂ…ヘッドドライバ、１４…キャリッジ、１５…キャリッジガイド軸、１６…キャリッジモータ、１６ａ…モータドライバ
１７…タイミングベルト、１８…プラテンフレーム、１９ａ…紙挿入検出器、１９ｃ…透過型フォトセンサ、１９ｂ…反射型フォトセンサ、２０…テンションガイド、２０ａ…繰り出しローラ、２１…後側紙送りローラ、２２…後側紙押えローラ、２３…前側紙送りローラ、２４…前側紙押えローラ、２５…紙送りモータ、２５ａ…モータドライバ、２６…吸引部、２７…吸引ファン（吸引手段）、２８…吸引ダクト、２９…排気口、２９ａ…排気通路、３０…制御部、３１…不揮発性メモリ、３２…ホスト装置、３５…縦リブ、３６…溝、３６ａ…底面、３７…吸引孔、３８…吸引室、３８ａ…プラテン側開口端、３９…インクミスト回収部、Ａ…ロール紙搬送路、Ｂ…共通紙搬送路、Ｃ…ファンフォールド紙搬送路、Ｐ１、Ｐ２…印刷ジョブデータ
【図１】
2010036442.tif 000003
【図２】
2010036442.tif 000004
【図３】
2010036442.tif 000005
【図４】
2010036442.tif 000006
【図５】
2010036442.tif 000007
【図６】
2010036442.tif 000008